(57)【要約】【課題】  アンテナの受信感度を劣化させることなく、金属製のケースや裏蓋等使用可能な電子機器を実現すること。【解決手段】  電子機器の一種である腕時計１は、標準電波を受信するアンテナ２０と、時計モジュールを備える電波時計であり、ステンレスやチタン等の金属で形成された時計ケース１０と、この時計ケース１０の下面に取り付けられた裏蓋１２とを備えて構成される。そして、時計ケース１０内にアンテナ２０や時計モジュール等が配置されている。また、時計ケース１０の内周面及び裏蓋１２の内面には、時計ケース１０及び裏蓋１２の透磁率よりも高く且つアンテナ２０の実効透磁率よりも低い透磁率を有する磁性部材４０ａ、４０ｂが配置されている。【選択図】図２
2005311715.tif 000002
【特許請求の範囲】
【請求項１】
予め定められている透磁率と導電率とを有する機器ケースと、
この機器ケース内に配置されたアンテナと、
前記機器ケース内面と前記アンテナとの間に配置され、透磁率が前記機器ケースの透磁率より高く且つ前記アンテナの実効透磁率より低い磁性部材と、
を備えたことを特徴とする電子機器。
【請求項２】
前記機器ケースと前記磁性部材との間に配置され、導電率が前記機器ケースの導電率より高く、透磁率が１より高く且つ前記磁性部材の透磁率より低い磁束反発部材を更に備えたことを特徴とする請求項１に記載の電子機器。
【請求項３】
前記磁束反発部材は前記機器ケース内面に配置され、前記磁性部材は前記磁束反発部材上に配置されていることを特徴とする請求項２に記載の電子機器。
【請求項４】
機器ケースと、
この機器ケース下面に取り付けられた予め定められている透磁率と導電率とを有する裏蓋と、
前記機器ケース内に収納されたアンテナと、
前記裏蓋内面と前記アンテナとの間に配置され、透磁率が前記裏蓋の透磁率より高く且つ前記アンテナの実効透磁率より低い磁性部材と、
を備えたことを特徴とする電子機器。
【請求項５】
前記裏蓋内面と前記磁性部材との間に配置され、導電率が前記裏蓋の導電率より高く、透磁率が１より高く且つ前記磁性部材の透磁率より低い磁束反発部材を更に備えたことを特徴とする請求項４に記載の電子機器。
【請求項６】
前記磁束反発部材は前記裏蓋内面に配置され、前記磁性部材は前記磁束反発部材上に配置されていることを特徴とする請求項５に記載の電子機器。
【請求項７】
電波を遮断しないアンテナケースを更に備え、
前記アンテナは、前記アンテナケース内部に収納され、
前記磁性部材は、前記アンテナケース外側面に前記磁性部材の長手方向が前記アンテナの軸方向と平行となるように配置されていることを特徴とする請求項１又は４に記載の電子機器。
【請求項８】
前記磁性部材上に配置され、導電率が前記機器ケースの導電率より高く、透磁率が１より高く且つ前記磁性部材の透磁率より低い磁束反発部材を更に備えたことを特徴とする請求項７に記載の電子機器。
【請求項９】
前記アンテナは、棒状のコアとこのコアに巻回されたコイルとを有し、
前記磁性部材は、前記コア軸方向に平行に配置された板状又は膜状の部材であり、前記コア軸方向に沿った方向の長さが前記巻回されたコイル部分の長さ以下であることを特徴とする請求項１〜８の何れか一項に記載の電子機器。
【請求項１０】
前記アンテナによって標準電波を受信し、受信した標準電波に基づいて計時時刻を修正して表示する時計モジュールを前記機器ケース内に備え、
腕装着用のバンドが前記機器ケースに取り付けられていることを特徴とする請求項１〜９の何れか一項に記載の電子機器。
【請求項１１】
電波を遮蔽しないモジュールケースと、
このモジュールケース内に配置されたアンテナと、
前記モジュールケース内面と前記アンテナとの間、若しくは、前記モジュールケース外側面に配置され、透磁率が前記アンテナの実効透磁率より低い磁性部材と、
を備えることを特徴とするアンテナ装置。
【請求項１２】
前記アンテナ装置は、予め定められている透磁率と導電率とを有する機器ケース内に配置され、
前記磁性部材は、透磁率が前記機器ケースの透磁率より高く且つ前記アンテナの実効透磁率より低いことを特徴とする請求項１１に記載のアンテナ装置。
【請求項１３】
導電率が前記機器ケースの導電率より高く、透磁率が１より高く且つ前記磁性部材の透磁率より低い磁束反発部材を更に備え、
前記磁束反発部材は前記モジュールケースと前記磁性部材との間に配置されていることを特徴とする請求項１１又は請求項１２に記載のアンテナ装置。
【請求項１４】
前記アンテナは、棒状のコアとこのコアに巻回されたコイルとを有し、
前記磁性部材は、前記コア軸方向に平行に配置された板状又は膜状の部材であり、前記コア軸方向に沿った方向の長さが前記巻回されたコイル部分の長さ以下であることを特徴とする請求項１１〜１３の何れか一項に記載のアンテナ装置。
【発明の詳細な説明】
【技術分野】
【０００１】
本発明は、電子機器及びアンテナ装置に関する。
【背景技術】
【０００２】
従来から、電子機器の一種である時計として、時刻データ（即ち、タイムコード）を含む標準電波を受信するアンテナを備え、このアンテナで受信した標準電波に基づいて時刻修正を行う電波時計が知られている。電波時計では、所定時間毎に、内蔵しているアンテナを介して標準電波を受信し、増幅変調してタイムコードを解読することにより現在時刻を修正している（例えば、特許文献１）。
【特許文献１】特開２００２−９８７８０号公報
【発明の開示】
【発明が解決しようとする課題】
【０００３】
ところで、電波時計に内蔵される受信アンテナとしては、一般的にはバーアンテナが用いられている。しかしながら、バーアンテナには、近傍に金属が有る場合、アンテナのコアに巻回されたコイルを鎖交する信号磁束の変化を妨げる向きに発生する発生磁束が近傍金属を通過することで近傍金属に渦電流が流れ、渦電流損が発生し、アンテナの受信感度が低下するという問題がある。また、上述のような問題は、電波時計に限らず、例えば小型ラジオ等、電波を受信するアンテナを備えた電子機器においても同様である。
【０００４】
上記事情に鑑み、本発明は、アンテナの受信感度を劣化させることなく、金属製の機器ケースや裏蓋等を使用可能な電子機器を実現すること目的としている。
【課題を解決するための手段】
【０００５】
上記課題を解決するために、請求項１に記載の発明は、
予め定められている透磁率と導電率とを有する機器ケース（例えば、図１〜３、図１２、図１７の時計ケース１０）と、
この機器ケース内に配置されたアンテナ（例えば、図１〜３、図１２、図１７のアンテナ２０）と、
前記機器ケース内面と前記アンテナとの間に配置され、透磁率が前記機器ケースの透磁率より高く且つ前記アンテナの実効透磁率より低い磁性部材（例えば、図２、図３、図１２、図１７の磁性部材４０ａ）と、
を備えたことを特徴とする電子機器（例えば、図１〜３の腕時計１、図１２の腕時計２、図１７の腕時計３）である。
【０００６】
請求項２に記載の発明は、請求項１に記載の電子機器であって、
前記機器ケースと前記磁性部材との間に配置され、導電率が前記機器ケースの導電率より高く、透磁率が１より高く且つ前記磁性部材の透磁率より低い磁束反発部材（例えば、図１２、１３の非磁性導電部材５０ａ）を更に備えたことを特徴としている。
【０００７】
請求項３に記載の発明は、請求項２に記載の電子機器であって、
前記磁束反発部材は前記機器ケース内面に配置され、前記磁性部材は前記磁束反発部材上に配置されていることを特徴としている。
【０００８】
請求項４に記載の発明は、
機器ケース（例えば、図１〜３、図１２、図１７の時計ケース１０）と、
この機器ケース下面に取り付けられた予め定められている透磁率と導電率とを有する裏蓋（例えば、図２、図１２、図１７の裏蓋１２）と、
前記機器ケース内に収納されたアンテナ（例えば、図２、図３、図１２、図１７のアンテナ２０）と、
前記裏蓋内面と前記アンテナとの間に配置され、透磁率が前記裏蓋の透磁率より高く且つ前記アンテナの実効透磁率より低い磁性部材（例えば、図２、図３、図１２、図１７の磁性部材４０ｂ）と、
を備えたことを特徴とする電子機器（例えば、図１〜３の腕時計１、図１２の腕時計２、図１７の腕時計３）である。
【０００９】
請求項５に記載の発明は、請求項４に記載の電子機器であって、
前記裏蓋内面と前記磁性部材との間に配置され、導電率が前記裏蓋の導電率より高く、透磁率が１より高く且つ前記磁性部材の透磁率より低い磁束反発部材（例えば、図１２の非磁性導電部材５０ｂ）を更に備えたことを特徴としている。
【００１０】
請求項６に記載の発明は、請求項５に記載の電子機器であって、
前記磁束反発部材は前記裏蓋内面に配置され、前記磁性部材は前記磁束反発部材上に配置されていることを特徴としている。
【００１１】
請求項７に記載の発明は、請求項１又は４に記載の電子機器であって、
電波を遮断しないアンテナケース（図１９、図２０、図２２のアンテナケース２６）を更に備え、
前記アンテナは、前記アンテナケース内部に収納され、
前記磁性部材は、前記アンテナケース外側面に前記磁性部材の長手方向が前記アンテナの軸方向と平行となるように配置されていることを特徴としている。
【００１２】
請求項８に記載の発明は、請求項７に記載の電子機器であって、
前記磁性部材上に配置され、導電率が前記機器ケースの導電率より高く、透磁率が１より高く且つ前記磁性部材の透磁率より低い磁束反発部材（図２２の非磁性導電部材５０ａ、５０ｂ）を更に備えたことを特徴としている。
【００１３】
請求項９に記載の発明は、請求項１〜８の何れか一項に記載の電子機器であって、
前記アンテナは、棒状のコアとこのコアに巻回されたコイルとを有し、
前記磁性部材は、前記コア軸方向に平行に配置された板状又は膜状の部材であり、前記コア軸方向に沿った方向の長さが前記巻回されたコイル部分の長さ以下であることを特徴としている。
【００１４】
請求項１０に記載の発明は、請求項１〜９の何れか一項に記載の電子機器であって、
前記アンテナによって標準電波を受信し、受信した標準電波に基づいて計時時刻を修正して表示する時計モジュールを前記機器ケース内に備え、
腕装着用のバンドが前記機器ケースに取り付けられていることを特徴としている。
【００１５】
請求項１１に記載の発明は、
電波を遮蔽しないモジュールケース（例えば、図２３、図２４のモジュールケース７２）と、
このモジュールケース内に配置されたアンテナ（例えば、図２３、図２４のアンテナ２０）と、
前記モジュールケース内面と前記アンテナとの間、若しくは、前記モジュールケース外側面に配置され、透磁率が前記アンテナの実効透磁率より低い磁性部材（図１９、図２２〜２４の磁性部材４０ａ、４０ｂ）と、
を備えることを特徴としているアンテナ装置（例えば、図２３、２４のアンテナ装置７０Ｂ、７０Ｃ）である。
【００１６】
請求項１２に記載の発明は、請求項１１に記載のアンテナ装置であって、
前記アンテナ装置（例えば、図２３のアンテナ装置７０Ｂ、図２４のアンテナ装置７０Ｃ）は、予め定められている透磁率と導電率とを有する機器ケース内に配置され、
前記磁性部材は、透磁率が前記機器ケースの透磁率より高く且つ前記アンテナの実効透磁率より低いことを特徴としている。
【００１７】
請求項１３に記載の発明は、請求項１１又は請求項１２に記載のアンテナ装置であって、
導電率が前記機器ケースの導電率より高く、透磁率が１より高く且つ前記磁性部材の透磁率より低い磁束反発部材（例えば、図２４の非磁性導電部材５０ａ、５０ｂ）
を更に備え、
前記磁束反発部材は前記モジュールケースと前記磁性部材との間に配置されていることを特徴としている。
【００１８】
請求項１４に記載の発明は、請求項１１〜１３の何れかに記載のアンテナ装置であって、
前記アンテナは、棒状のコアとこのコアに巻回されたコイルとを有し、
前記磁性部材は、前記コア軸方向に平行に配置された板状又は膜状の部材であり、前記コア軸方向に沿った方向の長さが前記巻回されたコイル部分の長さ以下であることを特徴としている。
【発明の効果】
【００１９】
請求項１に記載の発明によれば、機器ケース内面とこの機器ケース内に配置されたアンテナとの間に、透磁率が機器ケースの透磁率より高くアンテナの実効透磁率より低い磁性部材を配置した電子機器を実現できる。従って、機器ケースを金属により形成した場合に、発生磁束が機器ケースを通過することによる渦電流損がほとんど生じず、アンテナの受信感度の劣化（低下）が抑制される。また、磁性部材の透磁率はアンテナの実効透磁率よりも低いため、アンテナのコアを通過すべき信号磁束が磁性部材を通過することによるアンテナの受信感度の劣化（低下）を防止できる。
【００２０】
請求項２に記載の発明によれば、請求項１に記載の電子機器において、機器ケースと磁性部材との間に、導電率が機器ケースの導電率より高く、透磁率が１より高く且つ磁性部材の透磁率より低い磁束反発部材が配置された電子機器を実現できる。磁束反発部材には磁束を反発させる作用があるため、アンテナに発生した発生磁束は、機器ケースと磁性部材との間に配置された磁束反発部材に反発されて磁性部材を通過し、機器ケースを通過する磁束が極めて少なくなる。従って、機器ケースを金属で形成した場合に、発生磁束が機器ケースを通過することで生じる渦電流損が極めて少なくなり、このため、アンテナの受信感度の劣化がより抑制（低下）される
【００２１】
また、請求項３に記載の発明によれば、請求項２に記載の電子機器において、磁束反発部材が機器ケース内面に配置され、この磁束反発部材上に磁性部材が配置された電子機器を実現できる。即ち、磁性部材と磁束反発部材とを一体化させて機器ケース内面に配置させることができるので、より少ないスペースで磁性部材と磁束反発部材とを配置できる。
【００２２】
請求項４に記載の発明によれば、機器ケースの下面に取り付けられた裏蓋内面と機器ケース内に配置されたアンテナとの間に、透磁率が裏蓋の透磁率より高くアンテナの実効透磁率より低い磁性部材を配置した電子機器を実現できる。アンテナが例えばバーアンテナで実現される場合、アンテナではコイル内を通過（鎖交）する磁束の時間変化を妨げるような磁束（発生磁束）を発生するが、このとき、発生磁束は磁気抵抗がより小さい経路を取るように分布する。即ち、アンテナに発生した発生磁束は、裏蓋とアンテナとの間に配置された磁性部材を通過して裏蓋をほとんど通過しない。従って、裏蓋を金属により形成した場合に、発生磁束が裏蓋を通過することによる渦電流損がほとんど生じず、アンテナの受信感度の劣化（低下）が抑制される。また、磁性部材の透磁率はアンテナの実効透磁率よりも低いため、アンテナのコアを通過すべき信号磁束が磁性部材を通過することによるアンテナの受信感度の劣化（低下）を防止できる。
【００２３】
また、請求項５に記載の発明によれば、請求項４に記載の電子機器において、裏蓋と磁性部材との間に、導電率が裏蓋の導電率より高く、透磁率が１より高く且つ磁性部材の透磁率より低い磁束反発部材が配置された電子機器を実現できる。磁束反発部材には磁束を反発させる作用があるため、アンテナに発生した発生磁束は、裏蓋と磁性部材との間に配置された磁束反発部材に反発されて磁性部材を通過し、裏蓋を通過する磁束が極めて少なくなる。従って、裏蓋を金属で形成した場合に、発生磁束が裏蓋を通過することで生じる渦電流損が極めて少なくなり、このため、アンテナの受信感度の劣化がより抑制（低下）される。
【００２４】
また、請求項６に記載の発明によれば、請求項５に記載の電子機器において、磁束反発部材が裏蓋内面に配置され、この磁束反発部材上に磁性部材が配置された電子機器を実現できる。即ち、磁性部材と磁束反発部材とを一体化させて機器ケース内面に配置させることができるので、より少ないスペースで磁性部材と磁束反発部材とを配置できる。
【００２５】
また、請求項７に記載の発明によれば、請求項１又は４に記載の電子機器において、磁性部材が、アンテナを内部に収納した電波を遮断しないアンテナケース外側面に、磁性部材の長手方向がアンテナの軸方向と平行に配置された電子機器を実現できる。即ち、アンテナと磁性部材との間に一定の間隔が形成されるので、アンテナと磁性部材との磁気結合が防止され、アンテナの受信感度の劣化（低下）が防止される。
【００２６】
また、請求項８に記載の発明によれば、請求項７に記載の電子機器において、磁性部材上に、導電率が機器ケースの導電率より高く、透磁率が１より高く且つ磁性部材の透磁率より低い磁束反発部材を配置した電子機器を実現できる。磁束反発部材には磁束を反発する作用があるため、アンテナに発生した発生磁束は磁束反発部材に反発されて磁性部材を通過し、機器ケースを通過する磁束が極めて少なくなる。従って、機器ケースを金属で形成した場合に、発生磁束が機器ケースを通過することで生じる渦電流損が極めて少なくなり、このため、アンテナの受信感度の劣化がより抑制（低下）される。
【００２７】
また、請求項９に記載の発明によれば、請求項１〜８の何れかに記載の電子機器において、アンテナが棒状のコアとこのコアに巻回されたコイルとを有し、磁性部材が、コア軸方向に平行に配置された板状又は膜状の部材であり、コア軸方向に沿った方向の長さがコイル部分の長さ以下である電子機器を実現できる。従って、磁性部材のコア軸方向の沿った方向の長さがアンテナのコイル部分の長さ以下であるため、アンテナが受信したい信号磁界による磁束が磁性部材に引き寄せられ、磁性部材を通過することでアンテナの受信感度が劣化してしまうことが防止（抑制）される。
【００２８】
また、請求項１０に記載の発明によれば、請求項１〜９の何れかに記載の電子機器において、アンテナによって受信された標準電波に基づいて計時時刻を修正して表示する時計モジュールを機器ケース内に備え、腕装着用のバンドが機器ケースに取り付けられた電子機器を実現できる。従って、機器ケースや裏蓋を金属で形成してもアンテナの受信感度が劣化しない腕時計を実現できる。
【００２９】
請求項１１に記載の発明によれば、電波を遮蔽しないモジュールケース内面とこのモジュールケース内に配置されたアンテナとの間、若しくは、モジュールケースの外側面に、透磁率がアンテナの実効透磁率より低い磁性部材が配置されたアンテナ装置を実現できる。アンテナが例えばバーアンテナで実現される場合、アンテナではコイル内を通過（鎖交）する磁束の時間変化を妨げるような磁束（発生磁束）を発生するが、このとき、発生磁束は磁気抵抗がより小さい経路を取るように分布する。即ち、アンテナの周囲空間の内、磁性部材が配置された空間部分では、アンテナに発生した発生磁束は磁性部材を通過し、磁性部材の外側空間をほとんど通過しない。
【００３０】
また、請求項１２に記載の発明によれば、請求項１１に記載のアンテナ装置において、機器ケース内に配置され、磁性部材の透磁率が機器ケースの透磁率より高く且つアンテナの実効透磁率より低いアンテナ装置を実現できる。即ち、例えば機器ケース内面とアンテナとの間に磁性部材が位置するようにアンテナ装置が機器ケース内に配置された場合、アンテナに発生した発生磁束は、機器ケースとアンテナとの間に位置する磁性部材を通過して機器ケースをほとんど通過しない。従って、機器ケースを金属により形成した場合に、発生磁束が機器ケースを通過することによる渦電流損がほとんど生じず、アンテナの受信感度の劣化（低下）が抑制される。また、磁性部材の透磁率はアンテナの実効透磁率よりも低いため、アンテナのコアを通過すべき信号磁束が磁性部材を通過することによるアンテナの受信感度の劣化（低下）を防止できる。
【００３１】
また、請求項１３に記載の発明によれば、請求項１１又は１２のアンテナ装置において、モジュールケースと磁性部材との間に、導電率が機器ケースの導電率より高く、透磁率が１より高く且つ磁性部材の透磁率より低い磁束反発部材が配置されたアンテナ装置を実現できる。磁束反発部材には磁束を反発させる作用があるため、アンテナに発生した発生磁束は、磁性部材上に配置された磁束反発部材に反発されて磁性部材を通過する。即ち、アンテナの周囲空間の内、磁性部材が配置された空間部分では、アンテナに発生した発生磁束は磁性部材を通過し、磁性部材の外側空間をほとんど通過しない。従って、例えば機器ケース内面とアンテナとの間に磁性部材が位置するようにアンテナ装置が機器ケース内に配置された場合、アンテナに発生した発生磁束は、機器ケースと磁性部材との間に位置する磁束反発部材に反発されて磁性部材を通過し、機器ケースを通過する磁束が極めて少なくなる。従って、機器ケースを金属で形成した場合に、発生磁束が機器ケースを通過することで生じる渦電流損が極めて少なくなり、このため、アンテナの受信感度の劣化がより抑制（低下）される。
【００３２】
また、請求項１４に記載の発明によれば、請求項１１〜１３の何れかのアンテナ装置において、アンテナが棒状のコアとこのコアに巻回されたコイルとを有し、磁性部材が、コア軸方向に平行に配置された板状又は膜状の部材であり、コア軸方向に沿った方向の長さがコイル部分の長さ以下であるアンテナ装置を実現できる。従って、磁性部材のコア軸方向の沿った方向の長さがアンテナのコイル部分の長さ以下であるため、アンテナが受信したい信号磁界による磁束が磁性部材に引き寄せられ、磁性部材を通過することでアンテナの受信感度が劣化してしまうことが防止（抑制）される。
【発明を実施するための最良の形態】
【００３３】
以下、図面を参照して、本発明を実施するための最良の形態を説明する。
尚、以下では、電子機器の一種である腕時計型の電波時計（以下、単に「腕時計」と称する。）に本発明を適用した場合を説明するが、本発明の適用がこれに限定されるものではない。
【００３４】
［第１実施形態］
先ず、第１実施形態を説明する。
【００３５】
＜腕時計の構造＞
図１は、第１実施形態における腕時計１の平面図である。同図に示すように、腕時計１は、機器ケースである時計ケース１０を備えている。時計ケース１０の外周部分であって６時及び１２時の位置には、これをユーザの腕に装着するための時計バンド６０、６０が取り付けられているとともに、外周側面には、腕時計１の各種機能の実行を指示するためのスイッチ１１が設けられている。
【００３６】
図２は、腕時計１のＡ−Ａ´矢視断面図（１２時−６時断面図）であり、図３は、腕時計１の背面図である。図３は、裏蓋１２及びアンテナ２０の下方部分に相当する回路押さえ３８の一部分を透視した状態で示している。図２、３に示すように、時計ケース１０は、ステンレスやチタン等の金属により環状の短柱形状に形成されている。また、時計ケース１０の６時及び１２時の位置の外部側方には、時計バンド６０、６０を取り付けるための延出部が形成されており、この延出部には、時計バンド６０、６０を取り付けるためのピンを通す孔部が形成されている。
【００３７】
時計ケース１０の上端部（図２中、上側）には、この上端部の開口部を遮蔽する時計ガラス１７がパッキン１６を介して嵌められており、時計ケース１０の下端部（図２中、下側）には、この下端部の開口部を遮蔽する裏蓋１２がＯリング１３を介して取り付けられている。裏蓋１２は、ステンレスやチタン等の強度の強い金属により、厚みが薄いほぼ平板状に形成されている。
【００３８】
時計ケース１０の内部には時刻計時を司る時計モジュール及び磁性部材４０ａ、４０ｂが配置されている。時計モジュールは、上部ハウジング３１ａ及び下部ハウジング３１ｂを備える。上部ハウジング３１ａの上面にはソーラーセル３４が配置され、更にその上方には文字板３２が配置されており、この文字板３２の上面にはリング状の見切り板１５が配置されている。また、文字板３２の６時寄りの位置に形成された開口部３２ａの下方には、時刻等を表示する液晶パネル３３が上部ハウジング３１ａに支持されて配置されている。即ち、腕時計１を正面から見たときに文字板３２に形成された開口部３２ａを介して液晶パネル３３に表示された時刻が視認できるようになっている。
【００３９】
また、上部ハウジング３１ａには、アナログ指針機構３５及び標準電波を受信するアンテナ２０が備えられており、下部ハウジング３１ｂには二次電池３７が組み込まれている。アナログ指針機構３５は、文字板３２の中央部に形成された軸孔からその上方に延びる指針軸と、この指針軸に取り付けられた時針や分針等の指針３５ａとを有し、指針３５ａを文字板３２の上方で運針させる。
【００４０】
アンテナ２０は、図４（ａ）の平面図に示すように、フェライトやアモルファス等の磁性材料で形成された棒状のコア２２と、コア２２の中央部分に銅等の導線をほぼ均一な厚みで巻回させて成るコイル２４と、を備えて構成されている。コア２２は、断面がほぼ長方形の角棒形状に形成されている。また、コア２２の両端部は、より多くの磁束をコア２２に集中させるため、中央部分と比較して断面積が大きい直方体の外側角部を切り落とした形状となっている。
【００４１】
アンテナ２０は、標準電波による磁界（以下、「信号磁界」と称する。）中に置かれると、同図（ｂ）に示すように、この信号磁界による磁束（以下、「信号磁束」と称する。）Ｍ１が周囲の空間よりも透磁率が高いコア２２に集中してコイル２４に鎖交する。そして、コイル２４には、鎖交した（コイル２４内部を通過した）信号磁束Ｍ１の変化を妨げる向きに磁束（以下、「発生磁束」と称する。）Ｍ２を発生させるような誘導起電力Ｖを生じる。尚、信号磁束Ｍ１は大きさや向きが周期的に変化する交流信号であるので、コイル２４に生じる誘導起電力Ｖは交流電力となり、発生磁束Ｍ２は、信号磁束Ｍ１の時間的変化に追従してその大きさや向きが周期的に変化する交流磁界となる。
【００４２】
また、アンテナ２０は、時計ケース１０の内部において、図５に示すように配置されている。図５は、腕時計１の要部背面図であり、時計ケース１０の内部におけるアンテナ２０及び磁性部材４０ａ、４０ｂの配置が理解し易いよう、時計ケース１０内部においてはアンテナ２０及び磁性部材４０ａ、４０ｂのみを示している。同図によれば、アンテナ２０は、１２時寄りの位置（同図中、上側）に、コア２２の軸線が３時−９時方向と平行に、コア２２の両端部に形成されている切り落とし面が時計ケース１０の内周面と対向するように配置されている。また、アンテナ２０は、コア２２の両端部それぞれが上部ハウジング３１ａにより支持されて、時計ケース１０の内周面及び裏蓋１２の上面（時計ケース１０の内部側の面）とは間隔をおいて配置されている。
【００４３】
上部ハウジング３１ａと下部ハウジング３１ｂとの間には、アナログ指針機構３５や液晶パネル３３、アンテナ２０等を接続してこれらを制御するＬＳＩ基板３６が配置されている。ＬＳＩ基板３６が有する回路要素としては、ＣＰＵ等の制御ＩＣと、アンテナ２０のコイル２４と銅等のリード線で電気的に接続されてコイル２４に生じた誘導起電力Ｖを検出し、検出した電気信号を増幅・復調して標準電波に含まれる時刻データ（即ち、タイムコード）を取り出す受信回路と、発振回路を有して現在時刻を計時する計時回路と、がある。制御ＩＣは、受信回路で取り出された時刻データに基づいて計時回路による計時時刻を修正し、修正した現在時刻を液晶パネル３３に表示させる、或いは修正した時刻を示すようにアナログ指針機構３５を制御して指針３５ａを運針させる等の処理を行う。
【００４４】
磁性部材４０ａ、４０ｂは、透磁率が時計ケース１０や裏蓋１２の透磁率よりも高く（大きく）、且つ、アンテナ２０の実効透磁率より低い（小さい）透磁率を持つ磁性材料により形成されている。また、磁性部材４０ａ、４０ｂは、図６に示すように、長手方向の長さがコイル２４の軸方向の長さＬにほぼ等しく（或いは、若干短くても良い）、短手方向の長さがコイル２４の幅Ｗにほぼ等しい、略長方形の薄板状に形成されている
【００４５】
磁性部材４０ａは、時計ケース１０の内部において１２時寄りの位置に、時計ケース１０の内周面に密着して設けられている。詳細には、アンテナ２０のコイル２４と対向する位置に、長手方向がコイル２４の軸方向と平行に設けられている。即ち、磁性部材４０ａは、アンテナ２０と時計ケース１０との間に配置されている。また、アンテナ２０は、磁性部材４０ａと間隔をおいて配置されているため、磁性部材４０ａとアンテナ２０との間には隙間が形成されている。
【００４６】
磁性部材４０ｂは、時計ケース１０の内部において１２時寄りの位置に、図７に示すように、裏蓋１２の内面に密着して設けられている。図７は、裏蓋１２と磁性部材４０ｂとの位置関係を示す図である。詳細には、磁性部材４０ｂは、アンテナ２０のコイル２４と対向する位置に、長手方向がコイル２４の軸方向と平行に設けられている。即ち、磁性部材４０ｂは、アンテナ２０と裏蓋１２との間に配置されている。また、アンテナ２０は、磁性部材４０ｂと間隔をおいて配置されているため、磁性部材４０ｂとアンテナ２０との間には隙間が形成されている。
【００４７】
尚、磁性部材４０ａ、４０ｂは、長手方向の長さがコイル２４の長さＬとほぼ等しく（或いは、若干短く）形成されているので、コア２２の両端部（コイル２４が巻回されていない部分）には磁性部材４０ａ、４０ｂが対向しない。このため、信号磁束Ｍ１が磁性部材４０ａ、４０ｂに引き寄せられて磁性部材４０ａ、４０ｂを通過することでアンテナ２０の受信感度が劣化してしまうといったことが防止（抑制）される。
【００４８】
＜磁束の分布＞
このように構成される腕時計１において、信号磁界に対してアンテナ２０に発生した磁束（発生磁束）Ｍ２は、図８、９に示すように分布する。
【００４９】
図８、９は、発生磁束Ｍ２の分布を示す図である。図８は、腕時計１の要部背面図を示し、図９は、腕時計１のＢ−Ｂ´矢視概略断面図（３時−９時概略断面図）を示している。また、図８、９では、磁束の分布を理解し易くするため、時計ケース１０内部においてはアンテナ２０及び磁性部材４０ａ、４０ｂのみを示している。
【００５０】
一般的に、磁束は、磁気抵抗ができる限り小さい経路を取るように分布する。従って、図８に示すように、磁性部材４０ａを含むアンテナ２０と時計ケース１０の内周面とが対向する空間Ｘでは、磁性部材４０ａの透磁率が時計ケース１０の透磁率よりも高いため、発生磁束Ｍ２の内、磁性部材４０ａに対向する部分の磁束は、磁気抵抗がより小さい磁性部材４０ａを通過し、時計ケース１０をほとんど通過しない。
【００５１】
また、図９に示すように、磁性部材４０ｂを含むアンテナ２０と裏蓋１２の上面とが対向する空間Ｙでは、磁性部材４０ｂの透磁率が裏蓋１２の透磁率より高いため、発生磁束Ｍ２の内、磁性部材４０ｂに対向する部分の磁束は、磁気抵抗がより小さい磁性部材４０ｂを通過し、裏蓋１２をほとんど通過しない。
【００５２】
つまり、時計ケース１０及び裏蓋１２を通過する磁束が極めて少ないため、時計ケース１０及び裏蓋１２には、磁束が金属を通過することで生じる渦電流がほとんど生じない。従って、発生磁束Ｍ２による渦電流損がほとんど生じないので、金属形成された時計ケース１０及び裏蓋１２に起因するアンテナ２０の受信感度の劣化（低下）が抑制される。
【００５３】
また、磁性部材４０ａ、４０ｂとアンテナ２０との間には隙間が設けられているため、磁性部材４０ａ、４０ｂとアンテナ２０とが磁気結合することが防止される。更に、磁性部材４０ａ、４０ｂの長さがコイル２２の長さＬより若干短く（或いは、同一に）形成され、コア２２の両端部に対向しないように配置されているため、本来ならコア２２を通過すべき信号磁束Ｍ１が磁性部材４０ａ、４０ｂに引き寄せられて磁性部材４０ａ、４０ｂを通過することはほとんどない。つまり、磁性部材４０ａ、４０ｂを配置したことでアンテナ２０の受信感度が劣化（低下）することはない。
【００５４】
＜磁性部材の透磁率＞
図１０は、磁性部材４０ａ、４０ｂを、異なる透磁率を持つ磁性材料によって形成した場合の測定結果を示す図である。尚、アンテナ２０のコア材料の透磁率は「8000」程度であるが、このコア材料を用いたアンテナ２０の実効透磁率（コアにコイルを巻回して計測した透磁率）は「100」程度である。また、時計ケース１０及び裏蓋１２を形成する金属の透磁率は「1.0〜1.2」程度である。
【００５５】
同図（ａ）は、測定値を示す測定結果テーブルであり、測定条件と、測定結果と、を対応付けて示している。同図の場合、測定条件は、（１）磁性部材４０ａ、４０ｂを配置しない場合、（２）透磁率がμ＝「1.4」、（３）μ＝「4.5」、（４）μ＝「60」、（５）μ＝「500」、（６）μ＝「8000」、である磁性部材４０ａ、４０ｂとした場合の合計の６パターンである。
【００５６】
そして、40［ｋＨｚ］及び60［ｋＨｚ］のそれぞれの標準電波を受信した場合について、アンテナ２０のインダクタンスＬと、共振抵抗Ｚと、アンテナ２０の受信感度と、を測定した。また、測定したインダクタンスＬ及び共振抵抗Ｚから次式（１）に従って算出したＱ値を併せて示す。
Ｑ＝Ｚ／（２πｆＬ）      ・・・（１）
上式（１）において、ｆは、受信した標準電波の周波数（即ち、40［ｋＨｚ］又は60［ｋＨｚ］）である。
【００５７】
また、同図（ｂ）は、同図（ａ）の測定結果テーブルから得られたグラフであり、横軸を測定条件である透磁率μとして、縦軸に、40［ｋＨｚ］及び60［ｋＨｚ］のそれぞれの標準電波を受信した場合のアンテナ２０のインダクタンスＬ及びＱ値をプロットして示している。
【００５８】
一般的に、インダクタンスＬ、共振抵抗Ｚ、Ｑ値及び受信感度は、透磁率μと比例関係にあるが、腕時計１に内蔵されたアンテナ２０の場合、受信感度は、ある透磁率μの値ｎをしきい値として飽和する。即ち、同図の場合、インダクタンスＬ、共振抵抗Ｚ、Ｑ値は、何れも、透磁率μに対してほぼ比例しているが、受信感度は、透磁率μ＝「60」をしきい値として飽和している。
【００５９】
これは、図１１に示すように、磁性部材４０ａ、４０ｂを形成する磁性材料の透磁率μがある程度以上になると、本来ならコア２２を通過していた信号磁束Ｍ１が磁性部材４０ａ、４０ｂに引き寄せられ、コア２２を通過せずに磁性部材４０ａ、４０ｂを通過してしまうためである。尚、受信感度が飽和するしきい値となる透磁率μの値ｎは、腕時計１の構成、詳細には、アンテナ２０のサイズ（寸法）や、アンテナ２０と時計ケース１０及び裏蓋１２との位置関係（間隔）、時計ケース１０及び裏蓋１２を形成する金属の透磁率等によって決まる。
【００６０】
＜作用・効果＞
以上、第１実施形態によれば、金属形成された時計ケース１０の内周面に磁性部材４０ａを、金属形成された裏蓋１２の内面に磁性部材４０ｂを、それぞれ配置したことにより、アンテナ２０に発生した発生磁束Ｍ２は、磁気抵抗がより小さい磁性部材４０ａ、４０ｂを通過し、時計ケース１０及び裏蓋１２をほとんど通過しない。従って、磁束が時計ケース１０及び裏蓋１２の金属を通過することによる渦電流損がほとんど発生しないため、アンテナ２０の受信感度の劣化（低下）が抑制される。
つまり、アンテナ２０が例えばバーアンテナで実現される場合、アンテナ２０ではコイル内を通過（鎖交）する磁束の時間変化を妨げるような磁束（発生磁束）を発生するが、このとき、発生磁束は磁気抵抗がより小さい経路を取るように分布する。即ち、アンテナ２０に発生した発生磁束は、機器ケースとアンテナ２０との間に配置された磁性部材４０ａ、４０ｂを通過して機器ケースとしての時計ケース１０をほとんど通過しない。従って、機器ケースを金属により形成した場合に、発生磁束が機器ケースを通過することによる渦電流損がほとんど生じず、アンテナの受信感度の劣化（低下）が抑制される。また、磁性部材４０ａ、４０ｂの透磁率はアンテナの実効透磁率よりも低いため、アンテナ２０のコアを通過すべき信号磁束が磁性部材４０ａ、４０ｂを通過することによるアンテナ２０の受信感度の劣化（低下）を防止できる。
【００６１】
［第２実施形態］
次に、第２実施形態を説明する。
尚、第２実施形態において、上述した第１実施形態と同一要素については同符合を付し、詳細な説明を省略する。
【００６２】
＜腕時計の構造＞
図１２は、第２実施形態における腕時計２の１２時−６時断面図であり、図１３は、腕時計２の背面図である。図１２は、裏蓋１２及びアンテナ２０の下方部分に相当する回路押さえ３８の一部分を透視した状態で示している。図１２、１３に示すように、第２実施形態では、時計ケース１０の内部においては、時計モジュール、磁性部材４０ａ、４０ｂ及び磁束反発部材である非磁性導電部材５０ａ、５０ｂが配置されている。
【００６３】
非磁性導電部材５０ａ、５０ｂは、透磁率が１より高く且つ磁性部材４０ａ、４０ｂの透磁率より低くて、導電率が時計ケース１０及び裏蓋１２の導電率よりも高い非磁性導電材料により形成されている。ここで、非磁性導電材料としては、例えば、金、銅、チタン、アルミ等があるが、チタンの透磁率は１．００１、アルミの透磁率は１．００００２である。また、非磁性導電部材５０ａ、５０ｂは、磁性部材４０ａ、４０ｂと略同一形状、即ち、図５に示したように、長手方向の長さがコイル２２の軸方向の長さＬにほぼ等しく（或いは、若干短く）、短手方向の長さがコイル２２の幅Ｗにほぼ等しい、略長方形の薄板状に形成されている。
【００６４】
非磁性導電部材５０ａは、図１４に示すように、時計ケース１０の内部において１２時寄りの位置に、時計ケース１０の内周面に密着して設けられている。図１４は、腕時計２の要部背面図であり、時計ケース１０の内部におけるアンテナ２０、磁性部材４０ａ、非磁性導電部材５０ａの配置が理解し易いよう、時計ケース１０内部においてはアンテナ２０、磁性部材４０ａ及び非磁性導電部材５０ａのみを示している。詳細には、非磁性導電部材５０ａは、アンテナ２０のコイル２４と対向する位置に、長手方向がコイル２４の軸方向と平行に設けられている。そして、磁性部材４０ａは、非磁性導電部材５０ａの上面に重なるように密着して設けられている。即ち、非磁性導電部材５０ａは、時計ケース１０と磁性部材４０ａとの間に配置されている。また、磁性部材４０ａとアンテナ２０との間には隙間が形成されている。
【００６５】
また、非磁性導電部材５０ｂは、時計ケース１０の内部において１２時寄りの位置に、裏蓋１２の内面に密着して設けられている。詳細には、アンテナ２０のコイル２４と対向する位置に、長手方向がコイル２４の軸方向と平行に設けられている。そして、磁性部材４０ｂは、非磁性導電部材５０ｂの上面に重なるように密着して設けられている。即ち、非磁性導電部材５０ｂは、裏蓋１２と磁性部材４０ｂとの間に配置されている。また、磁性部材４０ｂとアンテナ２０との間には隙間が形成されている。
【００６６】
＜磁束の分布＞
図１５、図１６は、腕時計２における発生磁束Ｍ２の分布を示す図である。図１５は、腕時計２の要部背面図を示し、図１６は、腕時計２の３時−９時概略断面図を示している。図１５、図１６では、磁束の分布を理解し易くするため、時計ケース１０内部においてはアンテナ２０、磁性部材４０ａ、４０ｂ及び非磁性導電部材５０ａ、５０ｂのみを示している。
【００６７】
図１５に示すように、非磁性導電部材５０ａ及び非磁性導電部材５０ａを含むアンテナ２０と時計ケース１０の内周面とが対向する空間Ｚでは、磁性部材４０ａの透磁率が、時計ケース１０及び非磁性導電部材５０ａの透磁率よりも高いため、発生磁束Ｍ２の内、磁性部材４０ａに対向する部分の磁束は、磁気抵抗がより小さい磁性部材４０ａを通過する。
【００６８】
また、非磁性導電部材５０ａは、磁束を反発する性質を持つ。このため、発生磁束Ｍ２の内、磁性部材４０ａを横切って時計ケース１０を通過しようとした磁束は、磁性部材４０ａと時計ケース１０との間に配置されている非磁性導電部材５０ａによって反発され、結局、磁性部材４０ａを通過することになる。従って、時計ケース１０を通過する磁束が極めて少なくなる。
【００６９】
また、図１６に示すように、非磁性導電部材５０ｂ及び磁性部材４０ｂを含むアンテナ２０と裏蓋１２の内面とが対向する空間Ｗでは、磁性部材４０ｂの透磁率が、裏蓋１２及び非磁性導電部材５０ｂの透磁率よりも高いため、発生磁束Ｍ２の内、磁性部材４０ｂに対向する部分の磁束は、磁気抵抗がより小さい磁性部材４０ｂを通過する。
【００７０】
また、非磁性導電部材５０ｂは、磁束を反発する性質を持つ。このため、発生磁束Ｍ２の内、磁性部材４０ｂを横切って裏蓋１２を通過しようとした磁束は、磁性部材４０ｂと裏蓋１２との間に配置されている非磁性導電部材５０ｂによって反発され、結局、磁性部材４０ｂを通過することになる。従って、裏蓋１２を通過する磁束が極めて少なくなる。
【００７１】
つまり、時計ケース１０及び裏蓋１２を通過する磁束が極めて少なく、磁束が金属を通過することによる渦電流損がほとんど生じない。このため、金属形成された時計ケース１０及び裏蓋１２に起因するアンテナ２０の受信感度の劣化（低下）が抑制される。
【００７２】
＜作用・効果＞
以上、第２実施形態によれば、金属形成された時計ケース１０の内周面に非磁性導電部材５０ａを配置し、更にこの非磁性導電部材５０ａの上面に磁性部材４０ａを配置するとともに、金属形成された裏蓋１２の内面に非磁性導電部材５０ｂを配置し、更にこの非磁性導電部材５０ｂの上面に磁性部材４０ｂを配置したことにより、アンテナ２０に発生した発生磁束Ｍ２は、磁気抵抗がより小さい磁性部材４０ａ、４０ｂを通過するとともに、非磁性導電部材５０ａ、５０ｂに反発されて時計ケース１０及び裏蓋１２をほとんど通過しない。従って、磁束が時計ケース１０及び裏蓋１２の金属を通過することによる渦電流損がほとんど発生しないため、アンテナ２０の受信感度の劣化（低下）が抑制される。
【００７３】
［第３実施形態］
次に、第３実施形態を説明する。
尚、第３実施形態において、上述した第１、第２実施形態と同一要素については同符合を付し、詳細な説明を省略する。
【００７４】
＜腕時計の構造＞
図１７は、第３実施形態における腕時計３の１２時−６時断面図であり、図１８は、腕時計３の要部背面図である。尚、図１８では、裏蓋１２及びアンテナ装置７０の下方部分に相当する回路押さえ３８の一部分を透視した状態で示している。図１７、１８に示すように、第３実施形態では、時計ケース１０の内部においては、時計モジュール及び上部ハウジング３１ａに支持されたアンテナ装置７０が配置されている。
【００７５】
図１９（ａ）はアンテナ装置７０の平面図であり、同図（ｂ）はアンテナ装置７０の正面図であり、同図（ｃ）はアンテナ装置７０の鉛直断面図である。尚、アンテナケース２６内部におけるアンテナ２０の配置が理解し易いよう、同図（ａ）では上部を、同図（ｂ）では正面側部を、それぞれ透視した状態で示している。同図に示すように、アンテナ装置７０は、アンテナケース２６と、アンテナ２０と、アンテナケース２６とアンテナ２０とを接着する接着剤２８と、アンテナ２０とＬＳＩ基板３６とを電気的に接続するフレキシブル基板（不図示）と、磁性部材４０ａ、４０ｂと、を備えている。
【００７６】
アンテナケース２６は、例えば電波を遮断（遮蔽）しないポリブチレンテレフタレート（ＰＢＴ）等の合成樹脂や紙材から形成され、アンテナ２０の上半分の周囲を囲む上部ピース２６ａと、アンテナ２０の下半分の周囲を囲む下部ピース２６ｂとを備えている。上部ピース２６ａ及び下部ピース２６ｂは、断面コの字形状の一面が開口した細長い箱形状をなしており、開口面同士を合わせるようにアンテナ２０を上下方向から挟み込むことで、アンテナ２０をその内部に収納している。
【００７７】
また、アンテナケース２６は、その内部にアンテナ２０を収納したときにアンテナ２０がアンテナケース２６の内面に当接するように形成されていることで、アンテナ２０を固定して収納している。更に、アンテナケース２６は、外部の衝撃等からアンテナ２０を保護するためのものであるため、ある程度の厚み（具体的には、1.5［ｍｍ］程度）をもって形成されている。
【００７８】
接着剤２８は、例えばエポキシ系の接着剤であり、アンテナ２０をアンテナケース２６に収納した状態でコイル２４の外周面とアンテナケース２６の内周面との間に塗布され、アンテナ２０とアンテナケース２６とを点接着するように構成されている。
【００７９】
磁性部材４０ａ、４０ｂは、アンテナケース２６の外周面に密着して配置されている。具体的には、磁性部材４０ａは、時計ケース１０の内周面と対向するアンテナケース２６の外周側面に、長手方向がコア２２の軸方向と平行に配置されている。即ち、磁性部材４０ａは、アンテナ２０と時計ケース１０との間に配置されている。一方、磁性部材４０ｂは、裏蓋１２の内面と対向するアンテナケース２６の外周下面に、長手方向がコア２２の軸方向と平行に配置されている。即ち、磁性部材４０ｂは、アンテナ２０と裏蓋１２との間に配置されている。
【００８０】
また、磁性部材４０ａ、４０ｂは、時計ケース１０の外周面に設けられているため、磁性部材４０ａ、４０ｂとアンテナ２０との間には、少なくとも時計ケース１０の厚みの分だけの隙間（間隔）が設けられている。尚、磁性部材４０ａ、４０ｂの長手方向の長さは、コイル２４の長さＬと等しく（或いは、若干短く）形成されているため、コイル２４が巻回されていないコア２２の両端部には磁性部材４０ａ、４０ｂが対向していない。
【００８１】
そして、アンテナ装置７０は、図２０に示すように、時計ケース１０の内部において、１２時寄りの位置（図２０中、上側）に配置されている。図２０は、腕時計２の要部背面図であり、時計ケース１０の内部におけるアンテナ装置７０の配置が理解し易いよう、時計ケース１０内部においてはアンテナ装置７０のみを示している。アンテナ装置７０は、コア２２の軸線が３時−９時方向と平行に、磁性部材４０ａが時計ケース１０の内周面と対向し、且つ、磁性部材４０ｂが裏蓋１２の内面と対向するように配置されている。
【００８２】
＜作用・効果＞
以上、第３実施形態によれば、アンテナケース２６の外周面であって、金属形成された時計ケース１０の内周面と対向する位置に磁性部材４０ａを、金属形成された裏蓋１２の上面と対向する位置に磁性部材４０ｂを、それぞれ配置したことにより、第１実施形態と同様に、アンテナ２０に発生した発生磁束Ｍ２は、磁気抵抗がより小さい磁性部材４０ａ、４０ｂを通過し、時計ケース１０及び裏蓋１２をほとんど通過しない。従って、磁束が時計ケース１０及び裏蓋１２を形成する金属を通過することによる渦電流損がほとんど発生しないため、アンテナ２０の受信感度の劣化（低下）が抑制される。
【００８３】
［変形例］
尚、本発明の適用は、上述した実施形態に限定されることなく、本発明の趣旨を逸脱しない範囲で適宜変更可能である。
【００８４】
（Ａ）磁性部材４０ａ、４０ｂ、非磁性導電部材５０ａ、５０ｂの形状
上述した各実施形態では、磁性部材４０ａ、４０ｂ、非磁性導電部材５０ａ、５０ｂの形状を略長方形の薄板状としたが、これに限らず他の形状であっても良い。また、磁性部材４０ａ、４０ｂ、非磁性導電部材５０ａ、５０ｂを膜状に形成することとしても良い。但しこの場合、磁性部材４０ａ、４０ｂ、非磁性導電部材５０ａ、５０ｂのアンテナ２０に対向する部分の長さ（軸方向に沿った方向の長さ）をコイル２２の長さＬとほぼ等しく（或いは、若干短く）形成し、且つ、コイル２２が巻回されていないコア２２の両端部分には、磁性部材４０ａ、４０ｂ、非磁性導電部材５０ａ、５０ｂが対向しないように配置する。
【００８５】
（Ｂ）磁性部材４０ａ、４０ｂのサイズ（寸法）
また、上述した各実施形態では、磁性部材４０ａ、４０ｂを、長手方向の長さがコイル２４の長さＬにほぼ等しく（或いは、若干短く）、短手方向の長さがコイル２４の幅Ｗにほぼ等しいサイズとしたが（図６参照）、第１、第２実施形態においては、磁性部材４０ａ、４０ｂのサイズ（寸法）を、図２１に示すように形成しても良い。即ち、磁性部材４０ａ、４０ｂの長手方向の長さＬ１をコイル２４の長さＬより長く、短手方向の長さＷ１をコイル２４の幅Ｗより長く形成しても良い。但し、この長さＬ１、Ｗ１は、磁性部材４０ａ、４０ｂを形成する磁性材料の種類（詳細には、透磁率μ）や、磁性部材４０ａ、４０ｂとアンテナコア２２との間の距離といった腕時計の構造に応じて、適宜、アンテナ２０の受信感度が良好となる値が決定される。
【００８６】
（Ｃ）非磁性導電部材５０ａ、５０ｂのサイズ（寸法）
また、上述した第２実施形態では、非磁性導電部材５０ａ、５０ｂと、磁性部材４０ａ、４０ｂとを略同一形状に形成するとしたが、非磁性導電部材５０ａ、５０ｂと、磁性部材４０ａ、４０ｂとを異なる形状及びサイズとしても良い。例えば磁性部材４０ａ、４０ｂの形状及びサイズを非磁性導電部材５０ａ、５０ｂより小さく形成しても良い。更に、磁性部材４０ａ、４０ｂの形状及びサイズを非磁性導電部材５０ａ、５０ｂより大きく形成しても良い。
【００８７】
（Ｄ）アンテナ装置７０
また、第３実施形態におけるアンテナ装置７０を、図２２、２３、２４に示すアンテナ装置７０Ａ、７０Ｂ、７０Ｃのように構成しても良い。
【００８８】
（Ｄ−１）
図２２（ａ）はアンテナ装置７０Ａの平面図であり、同図（ｂ）はアンテナ装置７０Ａの正面図であり、同図（ｃ）はアンテナ装置７０Ａの鉛直断面図である。尚、アンテナケース２６内部におけるアンテナ２０の配置が理解し易いよう、同図（ａ）では上部を、同図（ｂ）では正面側部を、それぞれ透視した状態で示している。
【００８９】
同図に示すように、アンテナ装置７０Ａにおいては、アンテナケース２６の外周面に磁性部材４０ａ、４０ｂが配置されている。詳細には、磁性部材４０ａは、時計ケース１０の内周面と対向するアンテナケース２６の外周側面（同図（ａ）中、上側；同図（ｃ）中、右側）に密着して、長手方向がコア２２の軸方向と平行に、コイル２４と対向するように配置されている。そして、この磁性部材４０ａの上面に、非磁性導電部材５０ａが重なるように密着して配置されている。即ち、非磁性導電部材５０ａは、時計ケース１０とアンテナ２０との間に配置されている。
【００９０】
また、磁性部材４０ｂは、裏蓋１２の内面と対向するアンテナケース２６の外周下面面（同図（ｂ）中、下面。同図（ｃ）中、下面）に密着して、長手方向がコア２２の軸方向と平行に、コイル２４と対向するように配置されている。そして、この磁性部材４０ｂの上面に、非磁性導電部材５０ｂが重なるように密着して配置されている。即ち、非磁性導電部材５０ｂは、裏蓋１２とアンテナ２０との間に配置されている。
【００９１】
（Ｄ−２）
図２３は、アンテナ装置７０Ｂの鉛直断面図である。同図に示すように、アンテナ装置７０Ｂはモジュールケース７２を備え、このモジュールケース７２内に、アンテナ２０を内部に収納したアンテナケース２６と、磁性部材４０ａ、４０ｂと、が配置される。
【００９２】
モジュールケース７２は、例えば電波を遮断（遮蔽）しないポリブチレンテレフタレート（ＰＢＴ）等の合成樹脂や紙材により、断面ロの字形状の細長い略直方体形状に形成されている。
【００９３】
アンテナケース２６は、同図中、左側側面及び上側側面をモジュールケース７２の内面に当接させるとともに左上隅に寄せて、長手方向がモジュールケース７２の長手方向と平行に配置されている。
【００９４】
磁性部材４０ａは、同図中、モジュールケース７２の右側内面に密着して、長手方向がコア２２の軸方向と平行に、コイル２４の部分にのみ対向してコア２２の両端部分には対向しないように配置されている。また、磁性部材４０ｂは、同図中、モジュールケース７２の下側内面に密着して、長手方向がコア２２の軸方向と平行に、コイル２４の部分にのみ対向してコア２２の両端には対向しないように配置されている。
なお、モジュールケース７２の内面に配置された磁性部材４０ａ、４０ｂは、モジュールケース７２の外側面に配置するようにしても良い。
【００９５】
そして、アンテナ装置７０Ｂは、機器ケースである時計ケース１０の内部において１２時寄りの位置に配置される。具体的には、アンテナ２０のコア２２の軸方向が３時−９時方向と平行に、磁性部材４０ａが時計ケース１０の内周面に対向するとともに、磁性部材４０ｂが裏蓋１２の内面に対向するように配置される。
【００９６】
（Ｄ−３）
図２４は、アンテナ装置７０Ｃの鉛直断面図である。同図に示すように、アンテナ装置７０Ｃはモジュールケース７２を備え、このモジュールケース７２内に、アンテナ２０を内部に収納したアンテナケース２６と、磁性部材４０ａ、４０ｂと、非磁性導電部材５０ａ、５０ｂと、が配置される。
【００９７】
非磁性導電部材５０ａは、同図中、モジュールケース７２の右側内面に密着して、長手方向がコア２２の軸方向と平行に、コイル２４の部分にのみ対向してコア２２の両端部分には対向しないように配置されている。そして、磁性部材４０ａは、非磁性導電部材５０ａの上面に重なるように密着して配置されている。
【００９８】
非磁性導電部材５０ｂは、同図中、モジュールケース７２の下側内面に密着して、長手方向がコア２２の軸方向と平行に、コイル２４の部分にのみ対向してコア２２の両端部分には対向しないように配置されている。そして、磁性部材４０ｂは、非磁性導電部材５０ｂの上面に重なるように密着して配置されている。
なお、モジュールケース７２の内面に配置された非磁性導電部材５０ａ、５０ｂは、モジュールケース７２の外側面に配置するようにしても良い。
【００９９】
そして、アンテナ装置７０Ｃは、機器ケースである時計ケース１０の内部において１２時寄りの位置に配置される。具体的には、アンテナ２０のコア２２の軸方向が３時−９時方向と平行に、非磁性導電部材５０ａが時計ケース１０の内周面に対向するとともに、非磁性導電部材５０ｂが裏蓋１２の内面に対向するように配置される。
【０１００】
（Ｅ）電子機器
更に、上述した実施形態では、電子機器の一種である腕時計に本発明を適用した場合を説明したが、腕時計の他、携帯電話、ラジオ等、機器ケース内にアンテナを備えた電子機器であれば同様に適用可能である。
【図面の簡単な説明】
【０１０１】
【図１】第１実施形態における腕時計の平面図。
【図２】第１実施形態における腕時計の１２時−６時断面図。
【図３】第１実施形態における腕時計の背面図。
【図４】アンテナの構成及び磁束の分布図。
【図５】第１実施形態におけるアンテナ及び磁性部材の配置を示す腕時計の概略背面図。
【図６】磁性部材の構成図。
【図７】裏蓋の平面図。
【図８】第１実施形態における磁束の分布図（１）。
【図９】第１実施形態における磁束の分布図（２）。
【図１０】磁性部材の透磁率を変化させた測定結果。
【図１１】磁性部材の透磁率による磁束分布の変化を示す図。
【図１２】第２実施形態における腕時計の１２時−６時断面図。
【図１３】第２実施形態における腕時計の背面図。
【図１４】第２実施形態におけるアンテナ、磁性部材及び非磁性導電部材の配置を示す概略背面図。
【図１５】第２実施形態における磁束の分布図（１）。
【図１６】第２実施形態における磁束の分布図（２）。
【図１７】第３実施形態における腕時計の１２時−６時断面図。
【図１８】第３実施形態における腕時計の背面図。
【図１９】アンテナ装置の構造を示す図。
【図２０】第３実施形態におけるアンテナ装置の配置を示す概略背面図。
【図２１】磁性部材の構成の変形例。
【図２２】アンテナ装置の変形例（１）。
【図２３】アンテナ装置の変形例（２）。
【図２４】アンテナ装置の変形例（３）。
【符号の説明】
【０１０２】
１、２、３  腕時計
１０  時計ケース
１２  裏蓋
２０  アンテナ
２２  コア
２４  コイル
４０（４０ａ、４０ｂ）  磁性部材
５０（５０ａ、５０ｂ）  非磁性導電部材（磁束反発部材）
７０  アンテナ装置
Ｍ１  信号磁束
Ｍ２  発生磁束
【図１】
2005311715.tif 000003
【図２】
2005311715.tif 000004
【図３】
2005311715.tif 000005
【図４】
2005311715.tif 000006
【図５】
2005311715.tif 000007
【図６】
2005311715.tif 000008
【図７】
2005311715.tif 000009
【図８】
2005311715.tif 000010
【図９】
2005311715.tif 000011
【図１０】
2005311715.tif 000012
【図１１】
2005311715.tif 000013
【図１２】
2005311715.tif 000014
【図１３】
2005311715.tif 000015
【図１４】
2005311715.tif 000016
【図１５】
2005311715.tif 000017
【図１６】
2005311715.tif 000018
【図１７】
2005311715.tif 000019
【図１８】
2005311715.tif 000020
【図１９】
2005311715.tif 000021
【図２０】
2005311715.tif 000022
【図２１】
2005311715.tif 000023
【図２２】
2005311715.tif 000024
【図２３】
2005311715.tif 000025
【図２４】
2005311715.tif 000026